(57)【要約】      （修正有）【課題】眼鏡枠のいずれか１つの枠脚上に取り外し可能に連結される取り外し可能な映像入出力装置を提供する。【解決手段】取り外し可能な映像入出力装置１は、Ｌ型本体１１と、映像捕獲モジュール１２と、映像表示モジュール１３とを備える。Ｌ型本体１１は、枠脚に対応する一側に連結部１１２を有し、Ｌ型本体１１は、連結部１１２により枠脚に連結され、Ｌ型本体１１の一端は、屈曲部１１１であり、かつＬ型本体１１の屈曲部１１１は、枠脚と垂直する方向に向けて屈曲される。映像捕獲モジュール１２は、Ｌ型本体１１の屈曲部１１１に設置され、かつＬ型本体１１の屈曲箇所に近接されるように構成される。映像表示モジュール１３は、Ｌ型本体１１の屈曲部１１１に設置され、かつＬ型本体１１の屈曲箇所から離れるように構成される。【選択図】図１
0003192539.tif 000002
【実用新案登録請求の範囲】
【請求項１】
眼鏡枠のいずれか１つの枠脚上に取り外し可能に連結されるように適用する取り外し可能な映像入出力装置であって、
前記枠脚に対応する一側に連結部を有するＬ型本体と、映像捕獲モジュールと、映像表示モジュールとを備え、
前記Ｌ型本体は、前記連結部により前記枠脚に連結され、前記Ｌ型本体の一端は、屈曲部であり、かつ前記Ｌ型本体の前記屈曲部は、前記枠脚と垂直する方向に向けて屈曲され、
前記映像捕獲モジュールは、前記Ｌ型本体の前記屈曲部に設置され、かつ前記Ｌ型本体の屈曲箇所に近接されるように構成され、
前記映像表示モジュールは、前記Ｌ型本体の前記屈曲部に設置され、かつ前記Ｌ型本体の屈曲箇所から離れるように構成されることを特徴とする、
取り外し可能な映像入出力装置。
【請求項２】
前記眼鏡枠の前記枠脚上に設置される連結具をさらに備え、前記Ｌ型本体は、前記連結部により前記連結具に連結されることで、前記枠脚に相互に連結されることを特徴とする、
請求項１に記載の取り外し可能な映像入出力装置。
【請求項３】
前記連結具の前記Ｌ型本体に対応する一側は、連結面であり、他側は、少なくとも１つのスリーブ接続部を有し、前記連結面は、前記Ｌ型本体の前記連結部に連結され、前記少なくとも１つのスリーブ接続部は、スリーブ孔を有し、前記連結具は、前記少なくとも１つのスリーブ接続部の前記スリーブ孔により、前記眼鏡枠の前記枠脚上にスリーブ設置されることで、前記枠脚に連結されることを特徴とする、
請求項２に記載の取り外し可能な映像入出力装置。
【請求項４】
前記Ｌ型本体の前記枠脚に相対する一側に凹部を有し、前記凹部にタッチパネルモジュールが設置されることを特徴とする、
請求項１に記載の取り外し可能な映像入出力装置。
【請求項５】
前記Ｌ型本体の頂側上に設置される複数個の制御ボタンをさらに備えることを特徴とする、
請求項１に記載の取り外し可能な映像入出力装置。
【考案の詳細な説明】
【技術分野】
【０００１】
本考案は、映像入出力装置に係り、特にＬ型本体の連結部により、眼鏡枠の枠脚上に取り外し可能に連結される取り外し可能な映像入出力装置に関するものである。
【背景技術】
【０００２】
科学技術の日進月歩によって、スマートフォン及びタブレットコンピュータ等の知能型装置が一般大衆の日常生活に普及していく中、知能型装置の機能の絶え間ない革新に伴い、関連する知能型装置の要求もそれにつれて増加する。
【０００３】
而して、知能型装置の使用者にとって、知能型装置を手中で操作するときに、チャット通信、カジュアルゲーム、ひいては各種の仕事事務の処理さえも十分に便利に行える。しかし、原点に戻って考えると、現今の知能型装置の機能は、使用者が握持している時のみ発揮することができる。つまり、使用者が直接に操作可能な範囲内しかその優越な機能性を発揮することができない。
【考案の概要】
【考案が解決しようとする課題】
【０００４】
こうして、使用者が撮像や撮影しようとするときに、たまたま知能型装置がどこかに（例えば、手持ちかばんの中）置かれてしまう場合、使用者は、かばんの中から知能型装置を持ち出さなければ、撮影を行うことができない。それ故、使用方式から見れば、使用者が即座にいくつかの機能を即時使用するように要求する場合、現在の知能型装置では、使用者の要求を満足できないおそれがある。
【０００５】
従って、如何にして上述した従来の知能型装置の問題点を解決して、知能型装置の機能をより一層便利にし、より容易に展示するかが、当該産業が早急に克服すべき課題の一つとなっている。
【０００６】
本考案は、上記のような従来技術の問題点に鑑みてなされたもので、その目的は、従来技術で直面する問題点を解決する取り外し可能な映像入出力装置を提供することにある。
【課題を解決するための手段】
【０００７】
本考案の目的に従って、本考案は、眼鏡枠の枠脚上に取り外し可能に連結される取り外し可能な映像入出力装置を提供するものである。本考案は、Ｌ型本体と、映像捕獲モジュールと、映像表示モジュールとを備える。Ｌ型本体は、枠脚に対応する一側に連結部を有し、Ｌ型本体は、連結部により枠脚に連結され、Ｌ型本体の一端は、屈曲部であり、かつＬ型本体の屈曲部は、枠脚と垂直する方向に向けて屈曲される。映像捕獲モジュールは、Ｌ型本体の屈曲部に設置され、かつＬ型本体の屈曲箇所に近接されるように構成される。映像表示モジュールは、Ｌ型本体の屈曲部に設置され、かつＬ型本体の屈曲箇所から離れるように構成される。
【０００８】
より好ましいのは、取り外し可能な映像入出力装置は、眼鏡枠の枠脚上に設置される連結具をさらに備え、Ｌ型本体は、連結部により連結具に連結されることで、枠脚に相互に連結される。
【０００９】
より好ましいのは、連結具のＬ型本体に対応する一側は、連結面であり、他側は、少なくとも１つのスリーブ接続部を有し、連結面は、Ｌ型本体の連結部に連結され、少なくとも１つのスリーブ接続部は、スリーブ孔を有し、連結具は、少なくとも１つのスリーブ接続部のスリーブ孔により、眼鏡枠の枠脚上にスリーブ設置されることで、枠脚に連結される。
【００１０】
より好ましいのは、スリーブ孔の内壁には、凸部を有する。
【００１１】
より好ましいのは、Ｌ型本体の枠脚に相対する一側に凹部を有し、その凹部にタッチパネルモジュールが設置される。
【００１２】
より好ましいのは、取り外し可能な映像入出力装置は、Ｌ型本体の頂側上に設置される複数個の制御ボタンをさらに備える。
【００１３】
より好ましいのは、複数個の制御ボタンのうち、映像捕獲オン／オフボタンを含んでもよく、映像捕獲オン／オフボタンは、Ｌ型本体の頂側上に設置され、映像捕獲オン／オフボタンに対して外力を加えるときに、映像捕獲モジュールは、対応する作動を実行する。
【００１４】
より好ましいのは、取り外し可能な映像入出力装置は、オーディオを出力または入力するためのオーディオ入出力モジュールをさらに備える。
【００１５】
より好ましいのは、オーディオ入出力モジュールは、Ｌ型本体の一側に設置される。
【００１６】
より好ましいのは、複数個の制御ボタンのうち、音量制御ボタンを含んでもよく、音量制御ボタンは、Ｌ型本体の頂側上に設置され、音量制御ボタンに対して外力を加えるときに、オーディオ入出力モジュールは、オーディオの音量を調整する。
【考案の効果】
【００１７】
上記説明したとおり、本考案の取り外し可能な映像入出力装置は、連結部を有するＬ型本体により、眼鏡枠の枠脚に相互に取り外し可能に連結されることで、使用状況に応じて使用者が便利に取り外し可能な映像入出力装置を眼鏡枠上に連結したり、あるいは眼鏡枠上から取り外したりすることができる。
【図面の簡単な説明】
【００１８】
【図１】本考案の取り外し可能な映像入出力装置を示す第１模式図である。
【図２】本考案の取り外し可能な映像入出力装置の連結具を示す模式図である。
【図３】本考案の取り外し可能な映像入出力装置を示す上面図である。
【図４】本考案の取り外し可能な映像入出力装置を示す側面図である。
【図５】本考案の取り外し可能な映像入出力装置を示す正面図である。
【考案を実施するための形態】
【００１９】
本考案をより完全に理解するために、本考案の技術特徴、内容と長所及びそれが達成できる作用効果については、添付図面を参照して、実施例の表現形式で以下のように詳細に説明される。しかし、図示された図面は、単に例示または明細書の内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００２０】
図１〜図５を参照する。図１は、本考案の取り外し可能な映像入出力装置を示す第１模式図である。図２は、本考案の取り外し可能な映像入出力装置の連結具を示す模式図である。図３は、本考案の取り外し可能な映像入出力装置を示す上面図である。図４は、本考案の取り外し可能な映像入出力装置を示す側面図である。図５は、本考案の取り外し可能な映像入出力装置を示す正面図である。図示されたように、本考案の取り外し可能な映像入出力装置１は、眼鏡枠２のいずれか１つの枠脚２１上に取り外し可能に連結されるように適用する。取り外し可能な映像入出力装置１は、Ｌ型本体１１と、映像捕獲モジュール１２と、映像表示モジュール１３とを備える。Ｌ型本体１１は、枠脚２１に対応する一側に連結部１１２を有し、Ｌ型本体１１は、連結部１１２により枠脚２１に連結され、Ｌ型本体１１の一端は、屈曲部１１１であり、かつＬ型本体１１の屈曲部１１１は、枠脚２１と垂直する方向に向けて屈曲される。映像捕獲モジュール１２は、Ｌ型本体１１の屈曲部１１１に設置され、かつＬ型本体１１の屈曲箇所に近接されるように構成される。映像表示モジュール１３は、Ｌ型本体１１の屈曲部１１１に設置され、かつＬ型本体１１の屈曲箇所から離れるように構成される。
【００２１】
より詳細に言えば、眼鏡枠２は、レンズを有する場合、映像表示モジュール１３は、前記レンズの前に位置する。言い換えれば、眼鏡のレンズが映像表示モジュール１３と使用者の目との間に位置する。
【００２２】
一方、映像捕獲モジュール１２の映像捕獲方向は、使用者の視線と同方向である。
【００２３】
続いて言えば、本考案の取り外し可能な映像入出力装置１は、連結部１１２を有するＬ型本体１１により、眼鏡枠２の枠脚２１に連結される。さらに、Ｌ型本体１１の連結部１１２が磁性部品（例えば、磁石）を有することを例として、枠脚２１と連結部１１２との連結箇所に金属具を有する場合、Ｌ型本体１１の連結部１１２は、磁力により枠脚２１に連結することが可能となる。しかし、以上はあくまでも例示にすぎず、これに限定されるものではない。
【００２４】
また、図２に示すように、取り外し可能な映像入出力装置１は、連結具１４をさらに備えてもよく、連結具１４は、眼鏡枠２の枠脚２１上に設置され、Ｌ型本体１１は、連結部１１２により連結具１４に相互に連結されることで、取り外し可能な映像入出力装置１は、枠脚２１に連結される。
【００２５】
より詳細に言えば、連結具１４のＬ型本体１１に対応する一側は、連結面１４１であってもよく、他側は、少なくとも１つのスリーブ接続部１４２を有し、連結面１４１は、Ｌ型本体１１の連結部１１２に連結され、少なくとも１つのスリーブ接続部１４２は、スリーブ孔１４２１を有し、連結具１４は、少なくとも１つのスリーブ接続部１４２のスリーブ孔１４２１により、眼鏡枠２の枠脚２１上にスリーブ設置されることで、連結具１４は、枠脚２１に連結される。
【００２６】
その中、より好ましいのは、スリーブ孔１４２１の形状が楕円形であり、かつその長軸が枠脚２１の幅に対応し、スリーブ孔１４２１の内壁は、凸部１４２２を有する。このように、凸部１４２２でスリーブ孔１４２１の内壁と枠脚２１との間の摩擦力を増加させることで、連結具１４と枠脚２１との間の連結をより安定化できる。
【００２７】
次に、本考案の取り外し可能な映像入出力装置１のＬ型本体１１の枠脚２１に相対する一側に凹部１１３を有し、凹部１１３にタッチパネルモジュール１５が設置され、タッチパネルモジュール１５は、操作インターフェース及び選択項目を表示させることができるので、取り外し可能な映像入出力装置１の各パラメーターを設定すること、及び映像捕獲モジュール１２及び映像表示モジュール１３を操作制御することが可能になる。
【００２８】
補足すれば、取り外し可能な映像入出力装置１は、Ｌ型本体１１の頂側上に設置される複数個の制御ボタン１６をさらに備えてもよい。
【００２９】
さらに分類すると、複数個の制御ボタン１６のうち、映像捕獲オン／オフボタン１６１を含んでもよく、映像捕獲オン／オフボタン１６１は、Ｌ型本体１１の頂側上に設置され、映像捕獲オン／オフボタン１６１に対して外力を加えるときに、映像捕獲モジュール１２は、対応する作動を実行する。例えば、映像捕獲オン／オフボタン１６１を押すと、映像捕獲モジュール１２は、撮影作業や録画作業を実行することができる。
【００３０】
一方、複数個の制御ボタン１６のうち、音量制御ボタン１６２を含んでもよく、音量制御ボタン１６２は、Ｌ型本体１１の頂側上に設置される。取り外し可能な映像入出力装置１は、オーディオを出力または入力するためのオーディオ入出力モジュール１７をさらに備え、そのオーディオ入出力モジュール１７は、Ｌ型本体１１の一側に設置される。こうして、音量制御ボタン１６２に対して外力を加えるときに、オーディオ入出力モジュール１７のオーディオの音量を調整することが可能となる。
【産業上の利用可能性】
【００３１】
上記説明したとおり、本考案の取り外し可能な映像入出力装置は、連結部を有するＬ型本体により、眼鏡枠の枠脚に取り外し可能に連結されることで、使用状況に応じて使用者が便利に取り外し可能な映像入出力装置を眼鏡枠上に連結したり、あるいは眼鏡枠上から取り外したりすることができる。またさらに、使用する際に、使用者が握持方式で操作を行う必要がないため、その便利性、迅速性を向上させることができる。
【符号の説明】
【００３２】
１：取り外し可能な映像入出力装置
１１：Ｌ型本体
１１１：屈曲部
１１２：連結部
１１３：凹部
１２：映像捕獲モジュール
１３：映像表示モジュール
１４：連結具
１４１：連結面
１４２：スリーブ接続部
１４２１：スリーブ孔
１４２２：凸部
１５：タッチパネルモジュール
１６：制御ボタン
１６１：映像捕獲オン／オフボタン
１６２：音量制御ボタン
１７：オーディオ入出力モジュール
２：眼鏡枠
２１：枠脚
【図１】
0003192539.tif 000003
【図２】
0003192539.tif 000004
【図３】
0003192539.tif 000005
【図４】
0003192539.tif 000006
【図５】
0003192539.tif 000007